(57)【特許請求の範囲】
【請求項１】
外枠に回動可能に支持されると共に、前面側に遊技盤が設けられ裏面側に電子部品が配設された内枠と、
遊技球を貯留する皿ユニットと、
前記皿ユニットの下部に設けられた下部軸板に形成された第１軸孔と、
前記内枠の下部に設けられ、前記第１軸孔が挿入される第１軸部と、
前記第１軸部が形成された下部台座と、
前記内枠の前記遊技盤の下方に設けられた上部台座と、
前記上部台座に設けられた第２軸部と、
前記皿ユニットの上部に設けられた上部軸板に形成され、前記第２軸部が周方向から嵌る切欠き部と、
前記上部軸板に回転可能に取付けられて該切欠き部の開口を開閉し、前記皿ユニットの水平移動により前記第２軸部に押されて切欠き部の開口を開放し、該開口が閉止された状態で前記切欠き部と共に前記第２軸部を支持するロック部材と、
前記上部軸板に設けられ、前記切欠き部の開口を閉止する方向へ前記ロック部材を付勢する付勢手段と、
前記ロック部材と一体に設けられ、該ロック部材を回転させ前記切欠き部の開口を開放させると共に、前記上部軸板と前記下部軸板を繋ぐ板材に形成された開口部に挿通された状態で該開口部の縁部に当接してその移動が規制されるロック解除片と、
を有する遊技機。
【請求項２】
前記下部軸板、前記上部軸板及び前記板材が一体に形成されていることを特徴とする請求項１に記載の遊技機。
【請求項３】
前記ロック解除片が、前記皿ユニットの裏面側から露出していることを特徴とする請求項１又は２に記載の遊技機。
【発明の詳細な説明】
【技術分野】
【０００１】
本発明は、パチンコ機などの遊技機に関する。
【背景技術】
【０００２】
パチンコ機では、修理点検作業等を容易に行うため、遊技球を貯留するための皿ユニットを前枠に対して回動可能に設けており、さらにはこの皿ユニットを前枠に対して着脱可能としている。
【０００３】
例えば、特許文献１では、皿ユニットの下部に、該皿ユニットの高さ方向に沿って移動可能な可動軸を設けている。この可動軸は、スプリングによって下方へ付勢され、皿ユニットの下面から突出可能となっている。一方、前枠の前面下部には、可動軸を軸支可能な下部軸孔を有する下側取付部が設けられている。
【０００４】
皿ユニットの上部に設けられた上側軸孔へ前枠の前面に設けられた上部軸を嵌合させた後、皿ユニットの下面を下側取付部上へ移動させるとき、皿ユニットの下面から突出する可動軸を、下側取付部に凹設された傾斜面によって上方へ徐々に移動させ、下部軸孔に到達する位置まで案内する。可動軸が下部軸孔に到達すると、該可動軸は下部軸孔に嵌合し、これにより、皿ユニットが内枠に取付けられ、回動可能に支持される。
【０００５】
しかしながら、ここでは、可動部が傾斜面を摺動しながら上方へ移動するため、可動部の摺動抵抗を小さくする必要が生じる。このため、可動部と傾斜面において、表面処理を行わなければ成らず、手間が掛かり、コストアップに繋がってしまう。
【特許文献１】特開平１１−７６５５５号公報
【発明の開示】
【発明が解決しようとする課題】
【０００６】
本発明は上記事実を考慮して、内枠に対して皿ユニットの取付けが容易であり、安価な遊技機を提供することを課題とする。
【課題を解決するための手段】
【０００７】
請求項１に記載の発明は、遊技機において、外枠に回動可能に支持されると共に、前面側に遊技盤が設けられ裏面側に電子部品が配設された内枠と、遊技球を貯留する皿ユニットと、前記皿ユニットの下部に設けられた下部軸板に形成された第１軸孔と、前記内枠の下部に設けられ、前記第１軸孔が挿入される第１軸部と、前記第１軸部が形成された下部台座と、前記内枠の前記遊技盤の下方に設けられた上部台座と、前記上部台座に設けられた第２軸部と、前記皿ユニットの上部に設けられた上部軸板に形成され、前記第２軸部が周方向から嵌る切欠き部と、前記上部軸板に回転可能に取付けられて該切欠き部の開口を開閉し、前記皿ユニットの水平移動により前記第２軸部に押されて切欠き部の開口を開放し、該開口が閉止された状態で前記切欠き部と共に前記第２軸部を支持するロック部材と、前記上部軸板に設けられ、前記切欠き部の開口を閉止する方向へ前記ロック部材を付勢する付勢手段と、前記ロック部材と一体に設けられ、該ロック部材を回転させ前記切欠き部の開口を開放させると共に、前記上部軸板と前記下部軸板を繋ぐ板材に形成された開口部に挿通された状態で該開口部の縁部に当接してその移動が規制されるロック解除片と、を有することを特徴とする。
【０００８】
請求項１に記載の発明では、皿ユニットの下部に設けられた下部軸板に第１軸孔を設けており、内枠の下部には下部台座を設け、第１軸孔が挿入される第１軸部を形成している。これにより、皿ユニットを内枠に取付けるとき、内枠の下部台座に設けられた第１軸部へ皿ユニットの下部軸板に設けられた第１軸孔を挿入させることで、皿ユニットの下部は内枠に回動可能に支持されることとなるが、この状態で皿ユニットを下部台座で保持させることができる。
【０００９】
また、内枠の遊技盤の下方には上部台座を設けており、該上部台座には第２軸部を設けている。そして、皿ユニットの上部に設けられた上部軸板には、第２軸部が周方向から嵌る切欠き部を設けている。ここで、上部軸板には、切欠き部の開口を開閉するロック部材を回転可能に取付けており、該ロック部材は、皿ユニットの水平移動により第２軸部に押されて切欠き部の開口を開放し、該開口が閉止された状態で切欠き部と共に第２軸部を支持する。また、上部軸板には付勢手段が設けられており、ロック部材を切欠き部の開口を閉止する方向へ付勢している。
【００１０】
このため、皿ユニットの上部を内枠に支持させる際、皿ユニットを内枠に対して略水平移動させる。この際、ロック部材を第２軸部に当て付勢手段の付勢力の抗する方向へ該ロック部材を押圧させると、ロック部材が切欠き部の開口を開放させる方向へ回転する。これにより、第２軸部を介して切欠き部を移動させることができる。そして、切欠き部の開口を開放させる方向へロック部材を押圧する押圧力がなくなると、付勢手段の付勢力（復元力）によりロック部材が元の状態に戻り、ロック部材によって切欠き部の開口は閉止される。
【００１１】
つまり、第２軸部を周方向から嵌め込む切欠き部を設けることで、皿ユニットを下部台座で保持させた状態で該皿ユニットを略水平移動させるだけで、第２軸部を回動可能に支持させることができる。したがって、皿ユニットの上部を内枠に支持させる際、皿ユニットを持ち上げたりする必要がないため、作業者への負担が軽減される。また、ロック部材には、該ロック部材を回転させ切欠き部の開口を開放させるロック解除片が一体に設けられており、該ロック解除片は、上部軸板に形成された開口部に挿通された状態で該開口部の縁部に当接してその移動が規制される。
【００１５】
請求項２に記載の発明は、請求項１に記載の遊技機において、前記下部軸板、前記上部軸板及び前記板材が一体に形成されていることを特徴とする。
【００１６】
請求項２に記載の発明では、下部軸板、上部軸板及び板材が一体に形成されることで、下部軸板と上部軸板を別々に設けた場合と比較して、第１軸孔と切欠き部の回転中心における位置精度を向上させることができる。
【００１７】
請求項３に記載の発明は、請求項１又は２に記載の遊技機において、前記ロック解除片が、前記皿ユニットの裏面側から露出していることを特徴とする。
【００１８】
請求項３に記載の発明では、ロック部材を回転させ切欠き部の開口を開放させるロック解除片を、皿ユニットの裏面側から露出させることで、皿ユニットを開放させると該皿ユニットの裏面側からロック解除片が露出することとなり、このロック解除片を移動させることで、切欠き部の開口が開放され、皿ユニットを内枠から取り外すことができる。
【発明の効果】
【００１９】
本発明の遊技機によれば、内枠に対して皿ユニットの取付けが容易であり、安価である。
【発明を実施するための最良の形態】
【００２０】
以下、本発明の実施形態に係る遊技機について図面を参照して説明する。
【００２１】
（パチンコ機の構成）
図１〜図３には、本発明の一実施形態に係るパチンコ機１０が示されている。図１〜図３に示すように、パチンコ機１０は、パチンコ機１０の外郭を構成するとともにパチンコホールの島設備に設置される矩形状の外枠１２を備えている。外枠１２の前面には、合成樹脂で矩形額縁状に形成された内枠１４が配置されており（図２参照）、内枠１４の下側となる外枠１２の前面下端部には、パチンコ機１０の前面下端部を構成する合成樹脂製の下飾り１６が取り付けられている。
【００２２】
内枠１４は、外枠１２の左上角部と下飾り１６の左上角部とに設けられた一対のヒンジ部１８、２０に左側端部が軸支（回動可能に支持）されて開閉可能に取り付けられている。内枠１４の前面上部には、パチンコ機１０の前面上部を構成するガラス枠２２が配置されており、ガラス枠２２は、縦長略楕円形の窓部２４にガラス板２６が装着されるとともに、左側端部が内枠１４に軸支されて開閉可能に取り付けられている（図２参照）。
【００２３】
ガラス枠２２の裏面側となる内枠１４の前面上部には、矩形状の開口部１５が形成されている。この内枠１４の開口部１５には、遊技盤Ｇが着脱（交換）可能にセットされており、遊技盤Ｇは、内枠１４に対して閉塞されたガラス枠２２によって覆われ、パチンコ機１０の正面側から窓部２４のガラス板２６を通して視認可能とされている。
【００２４】
ここで、遊技盤Ｇは、基板として透明の平板状合成樹脂材が用いられている（以下、透明遊技盤Ｇという）。この透明遊技盤Ｇの表面には、円弧状の内レール９０及び外レール９２が取り付けられている。これらの内レール９０及び外レール９２によって囲まれた円形状の領域は、遊技球を発射する発射装置６０から発射されて打ち込まれた遊技球が自重落下により移動可能とされ、この領域が遊技を行う遊技領域ＰＡとされる。また、透明遊技盤Ｇの裏面側には、少なくとも遊技領域ＰＡのほぼ全域に亘って表示面が対向する大型の液晶表示器（図示省略）が配設されている。すなわち、遊技領域ＰＡが、液晶表示器の表示領域となっている。
【００２５】
また、ガラス枠２２の前面には、左右の両側端部に、遊技の進行に応じて点灯、消灯、及び点滅し照明による演出を行う複数の照明演出用のランプ２８が配設されており、左上と右上の各角部近傍に、遊技の進行に応じて効果音をステレオ出力する中高音用のスピーカ３０Ｌ、３０Ｒが内蔵されている。
【００２６】
一方、内枠１４の前面下部には、パチンコ機１０の前面下部を構成する皿ユニット４０が配置されている。皿ユニット４０は、皿ユニット４０の本体部を構成するベース４１の左側端部が内枠１４に軸支されて開閉可能に取り付けられており、ベース４１の前面上部に、遊技球を遊技盤Ｇへ向けて発射するために貯留して後述する発射装置６０（図２参照）へ供給する上皿４２が突設され、ベース４１の前面下部における上皿４２の左下に、上皿４２に貯留しきれない遊技球を貯留するための下皿４４が突設されている。
【００２７】
上皿４２は、底面が正面視にて手前側から奥側へ向けて反時計回りに下り傾斜しており、傾斜方向下流側となる底面の奥側に、上皿４２内に貯留された遊技球を１列に整列して、ベース４１の裏面に取り付けられた球送り装置４５（図２参照）へ誘導する整列通路４６が設けられている。
【００２８】
ベース４１によって構成された上皿４２の奥壁面における右側端部には、内枠１４の裏面に設けられた払出装置６２（図３参照）から払い出された貸し球や賞球が排出される球排出口４８が形成されており、下皿４４の奥壁面における右側端部には、上皿４２に貯留しきれない遊技球が排出される球排出口４９が形成されている。
【００２９】
そして、皿ユニット４０を構成するベース４１の前面右下部には、発射装置６０と電気的に接続されて打球の発射力（飛距離）を調整する発射ハンドル５４が取り付けられており、ベース４１の前面左下部には、下皿４４に隣接して灰皿５６が設けられている。また、ベース４１の前面略中央は矩形箱状に膨出しており、内部には、遊技の進行に応じて効果音を出力する重低音用のスピーカ（サブウーハ）５８が設けられている。
【００３０】
ところで、図２及び図４に示すように、遊技盤Ｇの下側で発射装置６０の右上側には、払出装置６２から払い出された遊技球が流出する球流出口６１が設けられている。一方、ベース４１の裏面中央部上側には、上皿４２と連通する球排出口４８が設けられており、皿ユニット４０が内枠１４に閉止されたときに、球流出口６１と球排出口４８が連通するようになっている。これにより、払出装置６２から払い出された遊技球は、球流出口６１及び球排出口４８を経由して、上皿４２に払い出される。
【００３１】
球流出口６１と隣接する位置には、下方に向けて遊技球の排出口（図示省略）が形成された流路からなるオーバーフロー部７８が設けられている。また、球流出口６１の上流側には、球流出口６１とオーバーフロー部７８に向けて分岐された分岐路（図示省略）が設けられている。これにより、上皿４２に払い出された遊技球の貯留量が、上皿４２の貯留可能量を上回るとき（満タン時）、分岐路であふれた遊技球は、オーバーフロー部７８に案内され、オーバーフロー部７８の排出口から排出される。
【００３２】
一方、皿ユニット４０の裏面中央部で球排出口４８の下方側には、下皿４４へ遊技球を流下させる球通路７０が取付けられている。球通路７０の上部には、皿ユニット４０が内枠１４に閉止されたときに、オーバーフロー部７８の下側に配置される通路入口７２が設けられている。また、球通路７０は、下皿４４に設けられた球排出口４９（図１参照）と連通している。
【００３３】
ここで、上皿４２の満タン時に、分岐路からオーバーフロー部７８を通って通路入口７２に排出された遊技球は、球通路７０を流下して、球排出口４９から下皿４４へ排出される。
【００３４】
一方、内枠１４の裏面における自由端側（裏面視左側）の側端部には、図２及び図３に示されるように、内枠１４及びガラス枠２２を施錠するための施錠装置６４が取り付けられており、施錠装置６４の下側には、皿ユニット４０をロックするためのロック装置６８が取り付けられている。
【００３５】
この施錠装置６４によって、内枠１４が外枠１２に閉塞された状態で施錠されるとともに、ガラス枠２２が内枠１４に閉塞された状態で施錠され、ロック装置６８によって、皿ユニット４０が内枠１４に閉塞された状態でロックされる。
【００３６】
また、施錠装置６４の下部に設けられたシリンダー錠（錠前）６６は、皿ユニット４０の前面右上から露出しており、このシリンダー錠６６の鍵孔に鍵（図示省略）を差し込んで開錠操作すると、外枠１２に施錠された内枠１４が開錠されて開放可能となり、内枠１４に施錠されたガラス枠２２が開錠されて開放可能となる。
【００３７】
ガラス枠２２を開放すると露出するロック装置６８のロック解除レバー６９を操作すると、内枠１４にロックされていた皿ユニット４０がロック解除されて開放可能となるが、皿ユニット４０が内枠１４に閉塞されてロック装置６８によりロックされると、発射装置６０の前側に球送り装置４５が配置される。また、前述のように、球流出口６１と球排出口４８が連通し、オーバーフロー部７８の下部に球通路７０の通路入口７２が配置される。
【００３８】
一方、図４に示されるように、内枠１４の裏面には、払出機構１００（後述する）等が配設されている。払出機構１００は、基板となる矩形状のベース板１０２の裏面視右側（内枠１４の支持端側）に設けられており、ベース板１０２の払出機構１００以外の領域には、図示はしないが、パチンコ機１０の各機能の全般を制御するための主制御基板、液晶表示器に表示させる図柄を制御するための図柄制御基板等が組み付けられ、表面が保護カバー９９で被覆されている。
【００３９】
そして、ベース板１０２に保護カバー９９を取付けた状態で（ユニット化）、該ベース板１０２を内枠１４に対して着脱可能としている。なお、ユニット化しない状態で、ベース板１０２を内枠１４に取付けた後、保護カバー９９を取付けても良いのは勿論のことである。
【００４０】
ここで、払出機構１００について説明する。
【００４１】
図３に示すように、内枠１４裏面の支持端側（図中右側）の側端部には、上タンク８０及び下タンク８２に貯留された遊技球を貯球タンク７４（図２参照）側へ流下させる上部球通路ユニット８４及び下部球通路ユニット８６が延設されており、上部球通路ユニット８４と下部球通路ユニット８６の間に払出装置６２が取り付けられ、下部球通路ユニット８６の下側に発射装置６０が取り付けられている。また、発射装置６０の左側には払出制御基板８８が設けられている。
【００４２】
この払出制御基板８８による払出停止制御では、払出装置６２を駆動停止させて遊技球の払い出しを停止し、払出実行制御では、払出装置６２を駆動させて、上タンク８０及び下タンク８２から上部球通路ユニット８４を流下し払出装置６２に誘導された遊技球を、貸し球又は賞球として下部球通路ユニット８６へ払い出す。
【００４３】
そして、下部球通路ユニット８６へ払い出された遊技球は、貯球タンク７４へ誘導され、貯球タンク７４内を上流側（左側）から下流側（右側）へ転動してタンク出口７６を通過し球排出口４８から排出されて、上皿４２に貯留される。
【００４４】
さらに、上皿４２内を下流側（左側）へ流下しつつ整列通路４６により１列に整列され、遊技者の発射ハンドル５４の操作により、球送り装置４５により１球ずつ発射装置６０に送り込まれ、発射装置６０によって遊技盤Ｇの遊技領域ＰＡへ発射される（図２の矢印Ａ方向）。この遊技球が遊技領域ＰＡを自重落下する過程で入賞又は外れとなることにより、遊技盤Ｇにて遊技球を用いた遊技が行われる。
【００４５】
そして、遊技の進行に伴い、大量の遊技球が賞球として払い出されるなどし、上皿４２が満タンになると、上皿４２に貯留しきれない遊技球は、オーバーフロー部７８から通路入口７２へ落下して球通路７０を流下し、球排出口４９を通じて下皿４４へ排出される。
【００４６】
また、遊技の終了時などに、上皿４２の前面左側に設けられた上皿用球抜きレバー５０を操作すると、整列通路４６の最下流部が開放して、上皿４２に貯留された遊技球が球通路７０へ排出され下皿４４へ流下する。
【００４７】
さらに、下皿４４が遊技球で満タンになったときや遊技の終了時などに、下皿４４の前面下側に設けられた下皿用球抜きレバー５２を操作すると、下皿底面の一部が開放して、下皿４４に貯留された遊技球が下皿４４の下方に配置された球箱（図示省略）へ排出される。
【００４８】
次に、本発明の実施の形態に係る遊技機の要旨について説明する。
【００４９】
図４に示すように、内枠１４の前面下部には、皿ユニット４０が内枠１４に軸支されて開閉可能に取り付けられているが、図５及び図６に示すように、内枠１４の前面下部からは、内枠１４の奥行き方向に沿って下部台座１０４が張り出しており、皿ユニット４０を保持可能としている。
【００５０】
この下部台座１０４の先端部は円弧状を成しており、下部台座１０４の先端側には、ピン（第１軸部）１０６が設けられている。また、下部台座１０４の上方には、下部台座１０４と対面してガラス枠２２を保持する上部台座１０８が設けられており、上部台座１０８の上面にはガラス枠２２を軸支するピン１１０が設けられている。そして、上部台座１０８の下面からはピン（第２軸部）１１２が垂下し、下部台座１０４に設けられたピン１０６と共に、皿ユニット４０を回動可能に支持している。
【００５１】
一方、皿ユニット４０の回動支持端側には、皿ユニット４０の裏面側に板金で形成された略長板状のヒンジ部材１１４が固定されている。このヒンジ部材１１４は、下部台座１０４と上部台座１０８の間に配置可能な長さとされており、ヒンジ部材１１４の両端部は略直角に屈曲し、上部屈曲片（上部軸板）１１６と下部屈曲片（下部軸板）１１８として、皿ユニット４０の上端面及び下端面にそれぞれ対面している。
【００５２】
下部屈曲片１１８には下部台座１０４に形成されたピン１０６が挿通可能な軸孔(第１軸孔）１２０が形成されており、ピン１０６に軸孔１２０を外挿させた状態で、ピン１０６を介して下部屈曲片１１８が下部台座１０４に支持され、皿ユニット４０が下部台座１０４に保持可能とされる。
【００５３】
一方、図７に示すように、上部屈曲片１１６の略中央には、孔部１２２が設けられており、シャフト１２４の一端部に形成された小径部１２４Ａが嵌合可能とされている。シャフト１２４にはトーションスプリング１２６が挿通可能とされており、一端部が上部屈曲片１１６の縁部から垂下する鈎状の装着部１２８に装着され、他端部はトーションスプリング１２６の下部に設けられるロック部材１３０に装着される。
【００５４】
ロック部材１３０は略コ字状を成すロック部１３２を備えており、該ロック部１３２の対面するロック片１３２Ａ、１３２Ｂの中央部には、シャフト１２４が挿通可能な挿通孔１３４が形成されている。該シャフト１２４にロック片１３２Ａ、１３２Ｂの挿通孔１３４を外挿させることで、シャフト１２４に対してロック部材１３０が回転可能となる。
【００５５】
また、シャフト１２４の他端部には、環状溝１２４Ｂが形成されており、Ｃリング１３６が装着可能とされている。このＣリング１３６は、図８に示すように、シャフト１２４に外挿されたロック部材１３０の下部に配置され、ロック片１３２Ｂの挿通孔１３４の周縁部に当接してロック部材１３０を抜け止めする。そして、トーションスプリング１２６によって、上部屈曲片１１６とロック部材１３０とＣリング１３６との間で生じるガタツキを吸収する。
【００５６】
上部屈曲片１１６の先端側の外側（皿ユニット４０の外側に相当）には、略Ｌ字状を成す切欠き部１４０が形成されており、ピン１１２が挿入可能な大きさとされている。そして、切欠き部１４０は上部屈曲片１１６の基部側へ向かって開口が広くされている。
【００５７】
図９（Ａ）に示すように、上部屈曲片１１６及びロック部材１３０を平面視すると、外部から応力が作用していない状態では、ロック部材１３０にはトーションスプリング１２６の付勢力により、シャフト１２４を中心に矢印Ａ方向への応力が作用し、ロック部１３２によって切欠き部１４０は閉止される。
【００５８】
このように、切欠き部１４０が閉止された状態で、図９（Ｂ）に示すように、シャフト１２４を中心にトーションスプリング１２６の付勢力の抗する方向（矢印Ｂ方向）へロック片１３２を回転させると、切欠き部１４０は開放される。
【００５９】
そして、この状態で、切欠き部１４０をピン１１２の周方向から嵌め込み、切欠き部１４０の終縁部１４０Ａをピン１１２に当接させるが、外部から応力が作用していない状態で、上部屈曲片１１６及びロック部材１３０を平面視すると（図９（Ｃ）参照）、切欠き部１４０の終縁部１４０Ａとロック部１３２の先端部との間で生じる隙間とピン１１２の外径寸法が略同一となるようにしている。
【００６０】
このため、切欠き部１４０の終縁部１４０Ａがピン１１２に当接すると、ロック部１３２の先端部がピン１１２を通過することとなるが、これにより、トーションスプリング１２６の付勢力（復元力）によってロック部材１３０が矢印Ａ方向へ回転し、ロック部１３２によって切欠き部１４０は閉止される。そして、この状態で、切欠き部１４０及びロック部１３２によってピン１１２が回転可能に支持される。
【００６１】
ここで、ロック片１３２Ｂには、図７に示すように、挿通孔１３４から徐々に離間する方向へ向かって斜めに延びた後ロック片１３２Ｂの反対側へ向かってロック片１３２Ｂと平行に延びる平板状のロック解除片１３５がロック片１３２Ｂと一体に設けられている。
【００６２】
一方、ヒンジ部材１１４の上部屈曲片１１６の近傍には、矩形状の開口部１３８が形成されており、該開口部１３８内をロック解除片１３５が挿通可能としている。ロック解除片１３５が開口部１３８内へ挿通された状態で、ロック解除片１３５は皿ユニット４０の裏面側から露出する（図５参照）。そして、ロック解除片１３５は開口部１３８の縁部に当接することでその移動が規制される（図６参照）。
【００６３】
（作用・効果）
次に、本発明の実施の形態に係る遊技機の作用・効果について説明する。
【００６４】
図５及び図６に示すように、皿ユニット４０を内枠１４に軸支させる際には、まず、下部台座１０４に設けられたピン１０６に皿ユニット４０に固定された下部屈曲片１１８の軸孔１２０を外挿させ、ピン１０６を介して下部屈曲片１１８を下部台座１０４に支持させて、皿ユニット４０を下部台座１０４で保持させる。そして、この状態で、上部屈曲片１１６の切欠き部１４０の入口側を上部台座１０８のピン１１２へ向け、切欠き部１４０をピン１１２の周方向から嵌め込むようにして、皿ユニット４０を略水平移動させる。
【００６５】
上部屈曲片１１６がピン１１２に接触していない状態では、ロック部材１３０は図９（Ａ）に示す位置に配置されており、切欠き部１４０を閉止しているが、図９（Ｂ）に示すように、ロック部１３２でピン１１２を押圧する方向へ皿ユニット４０を水平移動させると、ロック部１３２がシャフト１２４を中心にトーションスプリング１２６の付勢力の抗する方向へ向かって（矢印Ｂ方向）回転し、切欠き部１４０を開放する。
【００６６】
このため、ピン１１２を介して、切欠き部１４０をその奥方まで移動させることができる。このとき、ピン１１２によってロック部１３２は切欠き部１４０を開放した状態が維持される。そして、図９（Ｃ）に示すように、切欠き部１４０の終縁部１４０Ａをピン１１２に当接させると、ロック部１３２の先端部がピン１１２を通過し、ロック部１３２がシャフト１２４を中心に矢印Ａ方向へ回転して、切欠き部１４０を閉止し、切欠き部１４０及びロック部１３２によってピン１１２を回転可能に支持する。このとき、ロック解除片１３５は開口部１３８の縁部に当接して移動規制される。
【００６７】
このように、皿ユニット４０を下部台座１０４で保持させた状態で、該皿ユニット４０を内枠１４に対して略水平移動させるだけで、ピン１１２を介して切欠き部１４０を移動させ、ピン１１２を切欠き部１４０及びロック部１３２で回動可能に支持することができる。つまり、皿ユニット４０の上部を内枠１４に支持させる際、皿ユニット４０を持ち上げたりする必要がないため、作業者への負担が軽減される。
【００６８】
また、本実施形態では、ロック解除片１３５を皿ユニット４０の裏面側から露出させるようにしている。これにより、皿ユニット４０を開放させた状態で該ロック解除片１３５を矢印Ｂ方向へ回転させると、切欠き部１４０を開放させることができる。このため、ピン１１２を介して切欠き部１４０をその終縁部１４０Ａから開口側へ移動させることで、上部屈曲片１１６をピン１１２から取り外すことができ、皿ユニット４０を内枠１４から取り外すことができる。
【００６９】
さらに、本実施形態では、ヒンジ部材１１４の両端部に上部屈曲片１１６及び下部屈曲片１１８を形成し、下部屈曲片１１８にピン１０６が挿通可能な軸孔１２０を設け、上部屈曲片１１６にピン１１２を軸支可能な切欠き部１４０を設けている。このため、上部屈曲片１１６と下部屈曲片１１８を別々に設けた場合と比較して、軸孔１２０の中心と切欠き部１４０の終縁部の曲率中心を平面視にて一致させることができ、皿ユニット４０の回転中心における位置精度を向上させることができる。
【００７０】
また、本形態はあくまでも一実施例であり、本発明の主旨を逸脱しない範囲内において適宜変更可能であることは言うまでもない。
【図面の簡単な説明】
【００７１】
【図１】実施の形態に係るパチンコ機を示す正面側から見た斜視図である。
【図２】実施の形態に係るパチンコ機のガラス枠及び皿ユニットが開放された状態を示す正面側から見た斜視図である。
【図３】実施の形態に係るパチンコ機を示す背面図から見た斜視図である。
【図４】実施の形態に係るパチンコ機の皿ユニットが開放された状態を示す正面側から見た拡大斜視図である。
【図５】実施の形態に係るパチンコ機の皿ユニットが開放された状態を示す正面側から見た拡大斜視図であり、皿ユニットを内枠から取り外した状態を示している。
【図６】実施の形態に係るパチンコ機の内枠及び皿ユニットのヒンジ部材を示す斜視図である。
【図７】実施の形態に係るパチンコ機の皿ユニットを回転可能に支持するヒンジ部材を示す分解斜視図である。
【図８】実施の形態に係るパチンコ機の皿ユニットを回転可能に支持するヒンジ部材等を示す側面図である。
【図９】（Ａ）〜（Ｃ）は、実施の形態に係るパチンコ機の皿ユニットを回転可能に支持するピンと切欠き部の関係を示す動作図である。
【符号の説明】
【００７２】
１０ パチンコ機（遊技機）
１２ 外枠
１４ 内枠
４０ 皿ユニット
１０４ 下部台座
１０６ ピン（第１軸部）
１０８ 上部台座
１１２ ピン（第２軸部）
１１４ ヒンジ部材（板材）
１１６ 上部屈曲片（上部軸板）
１１８ 下部屈曲片（下部軸板）
１２０ 軸孔（第１軸孔）
１２６ トーションスプリング（付勢手段）
１３０ ロック部材
１３５ ロック解除片
１４０ 切欠き部
【図１】
0005192243.tif 000002
【図２】
0005192243.tif 000003
【図３】
0005192243.tif 000004
【図４】
0005192243.tif 000005
【図５】
0005192243.tif 000006
【図６】
0005192243.tif 000007
【図７】
0005192243.tif 000008
【図８】
0005192243.tif 000009
【図９】
0005192243.tif 000010